(57)【要約】【課題】小型化の要求に応えうる半導体光源を用いることが可能なアタッチメントを提供し、ひいては照明装置の小型化を図る。【解決手段】アタッチメント３０は、半導体光源２０を支持体１０に固定する。アタッチメント３０は、枠体３１、左側導電端子３５、および右側導電端子３６を備える。枠体３１は、支持体１０に固定された半導体光源２０から出射された光が通過可能な開口３１ａを有している。左側導電端子３５と右側導電端子３６は、開口３１ａの前端縁３１ａから後方に延びている。左側導電端子３５と右側導電端子３６は、支持体１０に固定された半導体光源２０が備える左側給電部２４と右側給電部２５にそれぞれ接触する形状とされている。【選択図】図７
2018081935.tif 000002
【特許請求の範囲】
【請求項１】
半導体光源を支持体に固定するアタッチメントであって、
前記支持体に固定された前記半導体光源から出射された光が通過可能な開口が形成された枠体と、
前記開口の縁部から第１方向に延びる第１導電端子と、
前記縁部から前記第１方向に延びる第２導電端子とを備え、
前記第１導電端子と前記第２導電端子は、前記支持体に固定された前記半導体光源が備える第１給電部と第２給電部にそれぞれ接触する形状とされている、アタッチメント。
【請求項２】
前記枠体は、前記支持体に固定された前記半導体光源の上面に当接する保持部を有しており、当該保持部は絶縁性材料からなる、請求項１に記載のアタッチメント。
【請求項３】
前記保持部は、前記開口の周縁部より内側に向かって延びており、先端側の幅が基端側よりも狭くなっている、請求項２に記載のアタッチメント。
【請求項４】
前記枠体は、それぞれ前記第１方向に平行な向きに延びる第１固定部と第２固定部を備え、
前記第１固定部には、前記枠体を前記支持体に締結する第１締結部材が挿通される第１貫通孔が形成されており、
前記第２固定部には、前記枠体を前記支持体に締結する第２締結部材が挿通される第２貫通孔が形成されており、
前記第１貫通孔と前記第２貫通孔の中心同士を結ぶ直線は、前記第１導電端子と前記第２導電端子の間を延びている、請求項１から３のいずれか一項に記載のアタッチメント。
【請求項５】
支持体と、
前記支持体上に配置され、第１給電部と第２給電部を備える半導体光源と、
前記半導体光源を前記支持体に固定するアタッチメントとを備え、
前記アタッチメントは、
前記半導体発光素子から出射された光が通過可能な開口が形成された枠体と、
前記開口の縁部から第１方向に延び、前記第１給電部に接触する第１導電端子と、
前記縁部から前記第１方向に延び、前記第２給電部に接触する第２導電端子とを備える、照明装置。
【請求項６】
前記半導体光源から出射された光を、前記半導体光源の前方を含む方向に反射するリフレクタを備え、
前記第１方向は、前記半導体光源の前後方向に対応する、請求項５に記載の照明装置。
【発明の詳細な説明】
【技術分野】
【０００１】
本発明は、半導体光源を支持体に固定するアタッチメントに関する。また本発明は、当該半導体光源と当該アタッチメントを備える照明装置に関する。
【背景技術】
【０００２】
照明装置の一例としての車両用灯具の光源として、発光ダイオード（ＬＥＤ）などの半導体発光素子を含む半導体光源が知られている。半導体光源は、発光に伴い発生する熱を放散するヒートシンクなどの支持体上に固定される。固定の際には、アタッチメントと呼ばれる部材が用いられる。アタッチメントは、導電端子を備えている。導電端子の一端は、半導体光源が備える給電部と接触する。導電端子と給電部を通じて、外部より半導体光源へ電力が供給される（例えば特許文献１を参照）。
【先行技術文献】
【特許文献】
【０００３】
【特許文献１】特開２０１０−１９２１３９号公報
【発明の概要】
【発明が解決しようとする課題】
【０００４】
照明装置に搭載される半導体光源には小型化が求められている。本発明は、そのような半導体光源を用いることが可能なアタッチメントを提供し、ひいては照明装置の小型化を可能とすることを目的とする。
【課題を解決するための手段】
【０００５】
上記の目的を達成するために、本発明がとりうる第１の態様は、半導体光源を支持体に固定するアタッチメントであって、
前記支持体に固定された前記半導体光源から出射された光が通過可能な開口が形成された枠体と、
前記開口の縁部から第１方向に延びる第１導電端子と、
前記縁部から前記第１方向に延びる第２導電端子とを備え、
前記第１導電端子と前記第２導電端子は、前記支持体に固定された前記半導体光源が備える第１給電部と第２給電部にそれぞれ接触する形状とされている。
【０００６】
このような構成によれば、第１導電端子と第２導電端子が同一方向に延びていることにより、複数の給電部が一端縁側に配列された半導体光源を用いることができる。光源の小型化を志向した場合には、このような給電部のレイアウトが採用される傾向にある。すなわち、小型化の要求に基づいた半導体光源を用いることが可能となり、ひいては当該半導体光源を備える照明装置を小型化できる。
【０００７】
したがって、上記の目的を達成するために本発明がとりうる第２の態様は、照明装置であって、
支持体と、
前記支持体上に配置され、第１給電部と第２給電部を備える半導体光源と、
前記半導体光源を前記支持体に固定するアタッチメントとを備え、
前記アタッチメントは、
前記半導体発光素子から出射された光が通過可能な開口が形成された枠体と、
前記開口の縁部から第１方向に延び、前記第１給電部に接触する第１導電端子と、
前記縁部から前記第１方向に延び、前記第２給電部に接触する第２導電端子とを備える。
【０００８】
上記のアタッチメントにおいて、前記枠体は、前記支持体に固定された前記半導体光源の上面に当接する保持部を有している構成としてもよい。
【０００９】
このような構成によれば、半導体光源を支持体に対して堅固に保持できるだけでなく、保持部が当接する半導体光源の上面に絶縁処理を施す必要がない。光源の低コスト化を志向した場合には、上面に絶縁処理が施されていない構成が採用される傾向にある。すなわち、低コスト化の要求に基づいた半導体光源を用いることが可能となり、ひいては当該半導体光源を備える照明装置のコストを抑制できる。
【００１０】
ここで前記保持部は、前記開口の周縁部より内側に向かって延びており、先端側の幅が基端側よりも狭くなっている構成としてもよい。
【００１１】
このような構成によれば、保持部が撓みやすくなる。これにより保持部が適度の押圧力とともに半導体光源に対して圧接されうる。したがって、半導体光源を支持体に対して安定的に保持できる。
【００１２】
上記のアタッチメントにおいて、前記枠体は、それぞれ前記第１方向に平行な向きに延びる第１固定部と第２固定部を備える構成としてもよい。この場合、前記第１固定部には、前記枠体を前記支持体に締結する第１締結部材が挿通される第１貫通孔が形成され、前記第２固定部には、前記枠体を前記支持体に締結する第２締結部材が挿通される第２貫通孔が形成される。さらに前記第１貫通孔と前記第２貫通孔の中心同士を結ぶ直線が、前記第１導電端子と前記第２導電端子の間を延びている構成とされる。
【００１３】
このような構成によれば、第１締結部材と第２締結部材による締結力を、第１導電端子と第２導電端子に等しく作用させることができる。これにより、第１導電端子と第２導電端子の第１給電部と第２給電部に対する接触力を、偏りなく安定に保つことができる。これにより半導体光源の動作状態が安定する。
【００１４】
上記の照明装置は、前記半導体光源から出射された光を、前記半導体光源の前方を含む方向に反射するリフレクタを備えている。この場合、前記第１方向は、前記半導体光源の前後方向に対応する構成としてもよい。
【００１５】
一般に、出射光を光源の前方に照射する光学系においては、光源の前後方向に構造物を配置しない方がよいとされている。しかしながら、リフレクタの反射面を経由させることにより、出射光の進行方向を容易に制御することが可能となる。したがって、スペースに比較的余裕のある半導体光源の前方または後方に第１導電端子と第２導電端子を配置して、照明装置の小型化を図ることができる。
【図面の簡単な説明】
【００１６】
【図１】本発明に係る灯具ユニットが備える支持体を示す斜視図である。
【図２】上記の支持体に半導体光源が載置された状態を示す斜視図である。
【図３】上記の支持体にアタッチメントが装着された状態を示す斜視図である。
【図４】上記の支持体にリフレクタが装着された状態を示す斜視図である。
【図５】上記のアタッチメントの構成を示す斜視図である。
【図６】上記のアタッチメントの構成を示す平面図および背面図である。
【図７】上記アタッチメントと半導体光源の位置関係を示す平面図である。
【図８】上記アタッチメントと半導体光源の位置関係を示す模式断面図である。
【発明を実施するための形態】
【００１７】
添付の図面を参照しつつ本発明に係る実施形態の例について以下詳細に説明する。なお以下の説明に用いる各図面では、各部材を認識可能な大きさとするために縮尺を適宜変更している。また以降の説明に用いる「右」および「左」は、運転席から見た左右の方向を示している。
【００１８】
図１は、照明装置の一例としての灯具ユニット１（図４参照）が備える支持体１０を示す。灯具ユニット１は、例えば車両に搭載される前照灯装置に装備される。支持体１０は、左側支持領域１１と右側支持領域１２を含んでいる。左側支持領域１１の上面には、前側位置決めピン１３ａと後側位置決めピン１３ｂが設けられ、上方に延びている。右側支持領域１２の上面には、前側位置決めピン１４ａと後側位置決めピン１４ｂが設けられ、上方に延びている。
【００１９】
左側支持領域１１における前側位置決めピン１３ａと後側位置決めピン１３ｂの間には、左側光源搭載部１５が設けられている。左側光源搭載部１５の上面からは、左側位置決めピン１５ａと右側位置決めピン１５ｂが上方に延びている。右側支持領域１２における前側位置決めピン１４ａと後側位置決めピン１４ｂの間には、右側光源搭載部１６が設けられている。右側光源搭載部１６の上面からは、左側位置決めピン１６ａと右側位置決めピン１６ｂが上方に延びている。
【００２０】
左側支持領域１１における前側位置決めピン１３ａの前方には、前側ねじ孔１７ａが形成されている。左側支持領域１１における後側位置決めピン１３ｂの後方には、後側ねじ孔１７ｂが形成されている。右側支持領域１２における前側位置決めピン１４ａの前方には、前側ねじ孔１８ａが形成されている。右側支持領域１２における後側位置決めピン１４ｂの後方には、後側ねじ孔１８ｂが形成されている。
【００２１】
図２に示すように、左側支持領域１１における左側光源搭載部１５と右側支持領域１２における右側光源搭載部１６に、同一の構成を有する半導体光源２０がそれぞれ搭載される。半導体光源２０の構成および左側光源搭載部１５と右側光源搭載部１６への搭載法の詳細については後述する。
【００２２】
図３に示すように、左側支持領域１１に左側アタッチメント３０が装着されることにより、半導体光源２０が左側光源搭載部１５に固定される。また右側支持領域１２に右側アタッチメント４０が装着されることにより、半導体光源２０が右側光源搭載部１６に固定される。左側アタッチメント３０と右側アタッチメント４０の構成、および左側支持領域１１と右側支持領域１２への装着法の詳細については後述する。
【００２３】
図４に示すように、左側支持領域１１に左側リフレクタ５０が装着され、右側支持領域１２に右側リフレクタ６０が装着されることにより、灯具ユニット１が構成される。
【００２４】
左側リフレクタ５０の内面は、反射面５１とされている。左側リフレクタ５０は、左側アタッチメント３０により固定された半導体光源２０に反射面５１が対向するように配置される。当該半導体光源２０から出射された光は、反射面５１により反射されて当該半導体光源２０の前方を含む方向へ照射される。右側リフレクタ６０の内面は、反射面６１とされている。右側リフレクタ６０は、右側アタッチメント４０により固定された半導体光源２０に反射面６１が対向するように配置される。当該半導体光源２０から出射された光は、反射面６１により反射されて当該半導体光源２０の前方を含む方向へ照射される。
【００２５】
左側リフレクタ５０と右側リフレクタ６０の前方には、それぞれ必要に応じて図示しないレンズが配置されうる。レンズを通過する反射光は、所定の配向制御を受ける。灯具ユニット１は、車両における適宜の位置に搭載される。各半導体光源２０から出射された光は、灯具ユニット１の前方における所定の領域を照明する。
【００２６】
図５の（ａ）は、左側アタッチメント３０を右斜め後方から見た外観を示す斜視図である。左側アタッチメント３０は、樹脂などの絶縁性材料からなる枠体３１を備えている。枠体３１には、開口３１ａ、前側位置決め孔３１ｂ、および後側位置決め孔３１ｃが形成されている。開口３１ａ、前側位置決め孔３１ｂ、および後側位置決め孔３１ｃは、それぞれ枠体３１を上下方向に貫通している。
【００２７】
左側アタッチメント３０は、前側固定片３２と後側固定片３３をさらに備えている。前側固定片３２は、枠体３１の前端部より前方に延びている。前側固定片３２には前側固定孔３２ａが形成されている。前側固定孔３２ａは、前側固定片３２を上下方向に貫通している。後側固定片３３は、枠体３１の後端部より後方に延びている。後側固定片３３には後側固定孔３３ａが形成されている。後側固定孔３３ａは、後側固定片３３を上下方向に貫通している。
【００２８】
左側アタッチメント３０は、コネクタ部３４をさらに備えている。コネクタ部３４は、枠体３１の右端部と一体に成形されている。コネクタ部３４には、後方に開口する接続孔３４ａが形成されている。図６の（ｂ）に示すように、接続孔３４ａの内部には、接続端子３４ｂ、３４ｃが配置されている。
【００２９】
図５の（ａ）に示すように、左側アタッチメント３０は、左側導電端子３５と右側導電端子３６をさらに備えている。左側導電端子３５と右側導電端子３６は、銅などの導電性材料からなり、例えばインサート成型により、枠体３１およびコネクタ部３４と一体成型されている。左側導電端子３５と右側導電端子３６の一部は、枠体３１に形成された開口３１ａ内に露出している。左側導電端子３５と右側導電端子３６の残りの部分は、枠体３１内部を延び、それぞれコネクタ部３４に設けられた接続端子３４ｂ、３４ｃと物理的および電気的に接続されている。
【００３０】
図５の（ｂ）は、右側導電端子３６における開口３１ａ内に露出している部分を拡大して示す斜視図である。当該部分は、基端部３６ａ、傾斜部３６ｂ、一対の腕部３６ｃを有している。
【００３１】
基端部３６ａは、上述のインサート成型が行なわれる過程で金型に挟まれる部位である。基端部３６ａは平坦面とされているため、金型に挟まれる際の支持状態が安定する。これにより安定した成形品質を維持できる。基端部３６ａの幅は、その前端部において右側のみに広げられて拡幅部３６ａ１を形成している。
【００３２】
傾斜部３６ｂは、基端部３６ａの後端より連続して後方かつ斜め上方に延びる部位である。一対の腕部３６ｃは、傾斜部３６ｂの後端より連続して後方に延びる部位である。一対の腕部３６ｃは、それぞれ、平坦部３６ｃ１、傾斜部３６ｃ２、および接点部３６ｃ３を有している。平坦部３６ｃ１は、傾斜部３６ｂの後端より連続して後方に延びる部位である。傾斜部３６ｃ２は、平坦部３６ｃ１の後端より連続して後方かつ斜め下方に延びる部位である。接点部３６ｃ３は、傾斜部３６ｃ２の後端に連続して形成されている部位である。このような形状を有することにより、一対の腕部３６ｃは、上下方向にある程度の変位が可能な程度の弾性を有している。
【００３３】
図６の（ａ）に示すように、左側導電端子３５は、平面視で右側導電端子３６と左右対称の形状を有している。すなわち、左側導電端子３５の基端部（基端部３６ａに対応する部分）は、その前端部において左側のみに拡幅されて拡幅部（拡幅部３６ａ１に対応）を形成している。左側導電端子３５に係るそれ以外の構成は、右側導電端子３６と実質的に同一であるため、詳細な説明は割愛する。
【００３４】
左側導電端子３５と右側導電端子３６の各基端部は、開口３１ａの前端縁３１ａ１に配置されている。すなわち、左側導電端子３５と右側導電端子３６は、ともに前端縁３１ａ１より後方に延びている。各基端部は、それぞれ一方向のみに拡幅されているため、左右対称の形状を有する左側導電端子３５と右側導電端子３６を、可及的に接近させて配置できる。すなわち、小型化の要請により左側給電部２４と右側給電部２５の間隔が狭められた半導体光源２０を用いることが可能となる。
【００３５】
前側固定片３２と後側固定片３３は、左側導電端子３５と右側導電端子３６が延びる向きと平行に延びている。前側固定片３２の前側固定孔３２ａは、左側導電端子３５と右側導電端子３６の前方に配置されている。後側固定片３３の後側固定孔３３ａは、左側導電端子３５と右側導電端子３６の後方に配置されている。前側固定孔３２ａと後側固定孔３３ａは、それらの中心同士を結ぶ直線Ｌ１が左側導電端子３５と右側導電端子３６の間を延びるように配置されている。
【００３６】
前側位置決め孔３１ｂは、開口３１ａの左斜め前方に配置されている。後側位置決め孔３１ｃは、開口３１ａの右斜め後方に配置されている。すなわち、前側位置決め孔３１ｂと後側位置決め孔３１ｃは、それらの中心同士を結ぶ直線Ｌ２が開口３１ａを斜めに横切るように配置されている。なお前側位置決め孔３１ｂは、当該直線Ｌ２に沿う向きを長手方向とする長孔として形成されている。後側位置決め孔３１ｃは、普通の丸孔として形成されている。
【００３７】
図３に示すように、右側アタッチメント４０は、左側アタッチメント３０と左右対称の形状を有している。右側アタッチメント４０に係るそれ以外の構成は、左側アタッチメント３０と実質的に同一であるため、詳細な説明は割愛する。
【００３８】
次に図７を参照しつつ、左側アタッチメント３０を用いて半導体光源２０を左側光源搭載部１５に固定する方法について詳細に説明する。
【００３９】
半導体光源２０は、支持部２１、左側発光素子２２、右側発光素子２３、左側給電部２４、および右側給電部２５を備えている。左側発光素子２２と右側発光素子２３は、例えば、それぞれ半導体光源２０の上面に平面発光部を有する白色発光ダイオード（ＬＥＤ）である。左側給電部２４と右側給電部２５は、それぞれ導電性材料からなる接点である。
【００４０】
支持部２１は、左側発光素子２２、右側発光素子２３、左側給電部２４、および右側給電部２５を支持している。支持部２１上には、図示しない回路パターンが形成されており、左側給電部２４と右側給電部２５を、それぞれ左側発光素子２２と右側発光素子２３に電気的に接続している。
【００４１】
支持部２１の左端部には、切欠き２１ａが形成されている。支持部２１の右端部には、貫通孔２１ｂが形成されている。切欠き２１ａと貫通孔２１ｂは、支持部２１を上下方向に貫通している。
【００４２】
図２および図７に示すように、半導体光源２０は、左側発光素子２２、右側発光素子２３、左側給電部２４、および右側給電部２５が上方を向くように、左側光源搭載部１５上に載置される。このとき、図１に示した左側位置決めピン１５ａと右側位置決めピン１５ｂが、それぞれ切欠き２１ａと貫通孔２１ｂに挿入され、半導体光源２０の左側光源搭載部１５に対する位置決めがなされる。
【００４３】
この状態から図３に示すように、左側光源搭載部１５上に載置された半導体光源２０の上方から、左側アタッチメント３０が装着される。このとき、図１の示した前側位置決めピン１３ａと後側位置決めピン１３ｂが、それぞれ前側位置決め孔３１ｂと後側位置決め孔３１ｃに挿入され、左側アタッチメント３０の、支持体１０（左側支持領域１１）に対する位置決めがなされる。
【００４４】
さらに図３に示すように、前側固定ねじ３７が、前側固定片３２の前側固定孔３２ａを挿通して図１に示した前側ねじ孔１７ａにねじ込まれ、後側固定ねじ３８が、後側固定片３３の後側固定孔３３ａを挿通して図１に示した後側ねじ孔１７ｂにねじ込まれる。これにより、左側アタッチメント３０は、支持体１０（左側支持領域１１）に対して固定される。
【００４５】
支持体１０には、図示しない光源制御部からの信号を伝達する信号線に接続された左側コネクタ７０が装着されている。左側コネクタ７０は、左側アタッチメント３０が備えるコネクタ部３４の接続孔３４ａに嵌入される。これにより当該信号線と、接続端子３４ｂ、３４ｃが電気的に接続される。
【００４６】
この状態において、図７に示すように、半導体光源２０の左側発光素子２２と右側発光素子２３が、左側アタッチメント３０の枠体３１に形成された開口３１ａを通じて上方に露出する。すなわち、枠体３１は、半導体光源２０から出射された光が開口３１ａを通過可能な形状とされている。
【００４７】
このとき右側導電端子３６が備える一対の腕部３６ｃの先端（接点部３６ｃ３）は、右側給電部２５の上面に接触する。同様に、左側導電端子３５の先端（接点部３６ｃ３に対応する部分）は、左側給電部２４の上面に接触する。左側コネクタ７０を介して入力された信号は、左側導電端子３５と左側給電部２４を経由して左側発光素子２２に入力される。同様に、右側導電端子３６と右側給電部２５を経由して右側発光素子２３に入力される。これにより、光源制御部による左側発光素子２２と右側発光素子２３の点消灯制御が可能とされる。
【００４８】
また図７に示すように、枠体３１に形成された保持部３１ａ２〜３１ａ５が、半導体光源２０の支持部２１の一部を覆うとともに、当該部分に上方から当接する。各保持部３１ａ２〜３１ａ５は、開口３１ａの周縁部から内側に向かって延びており、基端側よりも先端側の幅が狭くなっている。半導体光源２０は、保持部３１ａ２〜３１ａ５により、左側光源搭載部１５上に保持される。
【００４９】
図３に示すように、右側光源搭載部１６についても同様に、左側位置決めピン１６ａと右側位置決めピン１６ｂを用いて、半導体光源２０の右側光源搭載部１６に対する位置決めがなされる。また前側位置決めピン１４ａと後側位置決めピン１４ｂを用いて、右側アタッチメント４０の支持体１０（右側支持領域１２）に対する位置決めがなされる。さらに、前側固定ねじ４７と後側固定ねじ４８を、それぞれ前側ねじ孔１８ａと後側ねじ孔１８ｂにねじ込むことにより、右側アタッチメント４０が、支持体１０（右側支持領域１２）に対して固定される。
【００５０】
また右側コネクタ８０が、右側アタッチメント４０のコネクタ部（コネクタ部３４の対応部分）に接続される。右側アタッチメント４０と右側光源搭載部１６に搭載された半導体光源２０との関係に係るその他の構成は、左側アタッチメント３０と左側光源搭載部１５に搭載された半導体光源２０との関係と実質的に同一であるため、詳細な説明は割愛する。
【００５１】
図８は、図４に示すように支持体１０に装着された左側リフレクタ５０と、左側アタッチメント３０によって左側光源搭載部１５上に固定された半導体光源２０との位置関係を模式的に示す縦断面図である。
【００５２】
右側発光素子２３から出射された光は開口３１ａを通過し、左側リフレクタ５０の反射面５１により、半導体光源２０の前方を含む方向に反射される。右側導電端子３６は、半導体光源２０の前方に配置されている。右側導電端子３６は、半導体光源２０の前後方向に延び、その先端が右側給電部２５に接触している。図に表れない左側発光素子２２、左側給電部２４、および左側導電端子３５についても同様の関係が成立している。
【００５３】
左側リフレクタ５０の反射面５１の形状は、反射光が左側導電端子３５と右側導電端子３６を避けるように調整されている。右側リフレクタ６０の反射面６１の形状についても同様である。
【００５４】
なお支持体１０は、アルミニウムなどの熱伝導性が高い材料により形成されている。これにより支持体１０はヒートシンクとして機能し、半導体光源２０の発光に伴って発生する熱を効率よく放散しうる。
【００５５】
以上説明したように、本実施形態に係る左側アタッチメント３０（アタッチメントの一例）は、車両に搭載される半導体光源２０を支持体１０に固定する。半導体光源２０は、左側給電部２４（第１給電部の一例）と右側給電部２５（第２給電部の一例）を備えている。左側アタッチメント３０は、枠体３１、左側導電端子３５（第１導電端子の一例）、および右側導電端子３６（第２導電端子の一例）を備えている。枠体３１には開口３１ａが形成されている。左側導電端子３５と右側導電端子３６は、開口３１ａの前端縁３１ａ１（縁部の一例）から後方（第１方向の一例）に延びており、左側給電部２４と右側給電部２５にそれぞれ接触する形状とされている。
【００５６】
上記のような構成によれば、左側導電端子３５と右側導電端子３６が同一方向に延びていることにより、図７に示すように複数の給電部が支持部２１の一端縁側に配列された半導体光源２０を用いることができる。光源の小型化を志向した場合には、このような給電部のレイアウトが採用される傾向にある。すなわち、小型化の要求に基づいた半導体光源２０を用いることが可能となり、ひいては当該半導体光源２０を備える灯具ユニット１を小型化できる。
【００５７】
図７に示すように、左側導電端子３５と右側導電端子３６の基端部は、それぞれ外方に位置する側へのみ拡幅された形状を有している。したがって、各基端部の内方に位置する側同士を可及的に接近させることができる。光源のさらなる小型化を志向した場合には、複数の給電部同士は接近する傾向にある。すなわち、さらなる小型化の要求に基づいた半導体光源２０を用いることが可能となり、ひいては当該半導体光源２０を備える灯具ユニット１をさらに小型化できる。
【００５８】
本実施形態に係る左側アタッチメント３０においては、枠体３１は絶縁性材料からなる。枠体３１は保持部３１ａ２〜３１ａ５を有している。各保持部３１ａ２〜３１ａ５は、支持体１０に固定された半導体光源２０の上面に当接する。
【００５９】
このような構成によれば、半導体光源２０を支持体１０に対して堅固に保持できるだけでなく、保持部３１ａ２〜３１ａ５が当接する半導体光源２０の上面に絶縁処理を施す必要がない。光源の低コスト化を志向した場合には、上面に絶縁処理が施されていない構成が採用される傾向にある。すなわち、低コスト化の要求に基づいた半導体光源２０を用いることが可能となり、ひいては当該半導体光源２０を備える灯具ユニット１のコストを抑制できる。
【００６０】
各保持部３１ａ２〜３１ａ５は、枠体３１に形成された開口３１ａの周縁部より内側に向かって延びており、先端側の幅が基端側よりも狭くなっている。
【００６１】
このような構成によれば、各保持部３１ａ２〜３１ａ５が撓みやすくなる。これにより各保持部３１ａ２〜３１ａ５が、適度の押圧力とともに半導体光源２０に対して圧接されうる。したがって、半導体光源２０を支持体１０に対して安定的に保持できる。
【００６２】
また隣接する保持部同士の間に区画される空間を有効活用できる。例えば本実施形態の場合、保持部３１ａ３と３１ａ５の間に区画される空間に位置決めピン１５ａが配置され、保持部３１ａ２と３１ａ４の間に区画される空間に位置決めピン１５ｂが配置されている。
【００６３】
枠体３１は、左側導電端子３５と右側導電端子３６と平行な向きに延びる前側固定片３２（第１固定部の一例）と後側固定片３３（第２固定部の一例）を備えている。前側固定片３２には、枠体３１を支持体１０に締結する前側固定ねじ３７（第１締結部材の一例）が挿通される前側固定孔３２ａ（第１貫通孔の一例）が形成されている。後側固定片３３には、枠体３１を支持体１０に締結する後側固定ねじ３８（第２締結部材の一例）が挿通される後側固定孔３３ａ（第２貫通孔の一例）が形成されている。図６の（ａ）に示すように、前側固定孔３２ａと後側固定孔３３ａの中心同士を結ぶ直線Ｌ１は、左側導電端子３５と右側導電端子３６の間を延びている。
【００６４】
このような構成によれば、前側固定ねじ３７と後側固定ねじ３８による締結力を、左側導電端子３５と右側導電端子３６に等しく作用させることができる。これにより、左側導電端子３５と右側導電端子３６の左側給電部２４と右側給電部２５に対する接触力を、偏りなく安定に保つことができる。これにより半導体光源２０の動作状態が安定する。
【００６５】
本実施形態に係る灯具ユニット１において、左側リフレクタ５０（リフレクタの一例）は、半導体光源２０から出射された光を、当該半導体光源２０の前方を含む方向に反射する。前述のように、左側導電端子３５と右側導電端子３６の延びる向きは、半導体光源２０の前後方向に対応している。
【００６６】
一般に、出射光を光源の前方に照射する光学系においては、光源の前後方向に構造物を配置しない方がよいとされている。しかしながら、左側リフレクタ５０の反射面５１を経由させることにより、出射光の進行方向を容易に制御することが可能となる。したがって、スペースに比較的余裕のある半導体光源２０の前方に左側導電端子３５と右側導電端子３６を配置して、灯具ユニット１の小型化を図ることができる。
【００６７】
上記の実施形態は本発明の理解を容易にするためのものであって、本発明を限定するものではない。本発明は、その趣旨を逸脱することなく変更・改良され得ると共に、本発明にはその等価物が含まれることは明らかである。
【００６８】
半導体光源２０は、白色発光ダイオードに限られるものではない。所定の色の光を出射する発光ダイオードを用いてもよく、レーザダイオードや有機ＥＬ素子のような半導体発光素子を備える光源を用いてもよい。
【００６９】
枠体３１に形成される開口３１ａの形状は、半導体光源２０から出射された光が通過可能である限りにおいて任意に定めることができる。開口３１ａの周縁部３１ａ２〜３１ａ５の少なくとも１つは、半導体光源２０の上面に当接しない構成としてもよい。
【００７０】
上記の実施形態において、左側導電端子３５と右側導電端子３６の各基端部は、開口３１ａにおける同一の前端縁３１ａ１に配置されている。しかしながら、左側給電部２４と右側給電部２５にそれぞれ接触する部分を含む、左側導電端子３５と右側導電端子３６の実体的な部分が同一の方向に延びている限りにおいて、すなわち複数の給電部が一端縁側に配列された半導体光源を用いることができる限りにおいて、左側導電端子３５と右側導電端子３６の各基端部の開口３１ａにおける位置は任意である。
【００７１】
上記の実施形態において、左側導電端子３５と右側導電端子３６は、半導体光源２０の前方に配置されている。しかしながら、左側導電端子３５と右側導電端子３６が半導体光源２０の前後方向に対応する向きに延びている限りにおいて、半導体光源２０の後方に配置されてもよい。あるいは、左側導電端子３５と右側導電端子３６が同一の方向に延びている限りにおいて、半導体光源２０の右側または左側に配置されていてもよい。
【００７２】
半導体光源２０が備える発光素子の数は、３つ以上でもよい。その場合、発光素子の数に応じて半導体光源２０が備える給電部の数が増加し、アタッチメントが備える導電端子の数もこれに応じて増加する。但し、各導電端子の延びる方向は同一であることを要件とする。
【００７３】
左側アタッチメント３０と右側アタッチメント４０は、必ずしも左右対称の形状を有していることを要しない。灯具ユニット１の仕様に応じて、同一形状のアタッチメントを用いて左右の半導体光源２０を支持体１０に固定する構成としてもよい。
【００７４】
左側アタッチメント３０と右側アタッチメント４０は、必ずしも前側固定ねじ３７、４７および後側固定ねじ３８、４８を用いて支持体に締結されることを要しない。支持体１０への締結が可能な限りにおいて、適宜の部材を用いることができる。
【００７５】
灯具ユニット１が備える半導体光源２０の数は、２つに限られない。単一、あるいは３つ以上の半導体光源２０を備える構成としてもよい。
【００７６】
灯具ユニット１は、必ずしも車両に搭載される照明装置に装備されることを要しない。大型の懐中電灯などの照明装置にも装備されうる。
【符号の説明】
【００７７】
１：灯具ユニット、１０：支持体、２０：半導体光源、２４：左側給電部、２５：右側給電部、３０：左側アタッチメント、３１：枠体、３１ａ：開口、３１ａ１：開口の前端縁、３１ａ２〜３１ａ５：保持部、３２：前側固定片、３２ａ：後側固定孔、３３：後側固定片、３３ａ：後側固定孔、３５：左側導電端子、３６：右側導電端子、３７：前側固定ねじ、３８：後側固定ねじ、５０：左側リフレクタ、Ｌ１：前側固定孔と後側固定孔の中心同士を結ぶ直線
【図１】
2018081935.tif 000003
【図２】
2018081935.tif 000004
【図３】
2018081935.tif 000005
【図４】
2018081935.tif 000006
【図５】
2018081935.tif 000007
【図６】
2018081935.tif 000008
【図７】
2018081935.tif 000009
【図８】
2018081935.tif 000010
【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
半導体光源を支持体に固定するアタッチメントであって、
前記支持体に固定された前記半導体光源から出射された光が通過可能な開口が形成された枠体と、
第１導電端子と、
第２導電端子と、
を備えており、
前記開口は、第１方向について対向する第１縁部と第２縁部を有しており、
前記第１導電端子と前記第２導電端子は、前記第１方向と直交する第２方向から見て前記第１縁部から前記第２縁部に向かって延びる部分を有しており、
前記第１導電端子は、前記第１縁部に配置されている第１基端部、および前記第２縁部と隙間をあけて対向している第１接点部を有しており、
前記第２導電端子は、前記第１縁部に配置されている第２基端部、および前記第２縁部と隙間をあけて対向している第２接点部を有しており、
前記第１接点部と前記第２接点部は、前記支持体に固定された前記半導体光源が備える第１給電部と第２給電部にそれぞれ接触する形状とされている、アタッチメント。
【請求項２】
前記枠体は、前記支持体に固定された前記半導体光源の上面に当接する保持部を有しており、当該保持部は絶縁性材料からなる、請求項１に記載のアタッチメント。
【請求項３】
前記保持部は、前記開口の周縁部より内側に向かって延びており、先端側の幅が基端側よりも狭くなっている、請求項２に記載のアタッチメント。
【請求項４】
前記枠体は、それぞれ前記第１方向に平行な向きに延びる第１固定部と第２固定部を備え、
前記第１固定部には、前記枠体を前記支持体に締結する第１締結部材が挿通される第１貫通孔が形成されており、
前記第２固定部には、前記枠体を前記支持体に締結する第２締結部材が挿通される第２貫通孔が形成されており、
前記第１貫通孔と前記第２貫通孔の中心同士を結ぶ直線は、前記第１導電端子と前記第２導電端子の間を延びている、請求項１から３のいずれか一項に記載のアタッチメント。
【請求項５】
支持体と、
前記支持体上に配置され、第１給電部と第２給電部を備える半導体光源と、
前記半導体光源を前記支持体に固定するアタッチメントと、
を備えており、
前記アタッチメントは、
前記半導体光源から出射された光が通過可能な開口が形成された枠体と、
第１導電端子と、
第２導電端子と、
を備えており、
前記開口は、第１方向について対向する第１縁部と第２縁部を有しており、
前記第１導電端子と前記第２導電端子は、前記第１方向と直交する第２方向から見て前記第１縁部から前記第２縁部に向かって延びる部分を有しており、
前記第１導電端子は、前記第１縁部に配置されている第１基端部、および前記第２縁部と隙間をあけて対向している第１接点部を有しており、
前記第２導電端子は、前記第１縁部に配置されている第２基端部、および前記第２縁部と隙間をあけて対向している第２接点部を有しており、
前記第１接点部は、前記第１給電部に接触しており、
前記第２接点部は、前記第２給電部に接触している、照明装置。
【請求項６】
前記半導体光源から出射された光を、前記半導体光源の前方を含む方向に反射するリフレクタを備え、
前記第１方向は、前記半導体光源の前後方向に対応する、請求項５に記載の照明装置。